(57)【要約】      （修正有）【課題】電子ブックの読者乃至は購入者に、幾らかでも実際に電子ブックを購入したという「感じ」を伝えることができるカードを提供する。【解決手段】紙又はプラスチック又はボール紙でできたカードＫにおいて、表紙が前記カードＫのおもて面に印刷されており、及び／又は、本の内容及び／又は著者に関する情報が付加的に前記カードＫの内側の面Ｉ又はうら面Ｒに印刷されている。さらに、電子ブックの形態の本をダウンロードするために権限を与える付加的な情報が、とりわけコードＣの形態で前記カードＫに配置されており、前記カードＫはＤＩＮ（ドイツ工業規格）Ａ５より小さいフォーマット、とりわけＤＩＮＡ６又はＤＩＮＡ７より小さいフォーマットとする。【選択図】図１
0003173064.tif 000002
【実用新案登録請求の範囲】
【請求項１】
紙又はプラスチック又はボール紙でできたカード（Ｋ）において、
表紙（ＢＣ）が前記カード（Ｋ）のおもて面（Ｖ）に印刷されており、及び／又は、本の内容及び／又は著者に関する情報が付加的に前記カード（Ｋ）内側の面（Ｉ）又はうら面（Ｒ）に印刷されており、
電子ブックの形態の本をダウンロードするために権限を与える更に付加的な情報が、とりわけコード（Ｃ）の形態で前記カード（Ｋ）に配置されており、
前記カード（Ｋ）はＤＩＮ（ドイツ工業規格）Ａ５より小さいフォーマット、とりわけＤＩＮＡ６又はＤＩＮＡ７より小さいフォーマットである
ことを特徴とするカード（Ｋ）。
【請求項２】
前記カード（Ｋ）は、前記カード（Ｋ）が折り畳まれている場合、外から前記表紙（ＢＣ）は見ることができても、前記コード（Ｃ）は見ることも読むこともできないように折られている、請求項１記載のカード（Ｋ）。
【請求項３】
前記カード（Ｋ）は、少なくとも１つの挿入された付加的なページを有している、及び／又は、綴じられた複数のページを含んでおり、これらのページはとりわけ前記カード（Ｋ）に結び付けられ、乃至は一体となっており、これらのページにはテキストのレジュメ及び／又は電子ブックの挿絵が印刷されている、請求項１又は２記載のカード（Ｋ）。
【請求項４】
前記うら面（Ｒ）には、前記電子ブックの内容の概要及び／又は著者に関する概要及び／又は出版社の概要を外から読めるように印刷することができる、請求項１から３のいずれか１項記載のカード（Ｋ）。
【請求項５】
前記情報乃至はコード（Ｃ）は、スクラッチ部分の形態の剥がせるペースト（Ｍ）又はステッカーによって覆い隠されている、請求項１から４のいずれか１項記載のカード（Ｋ）。
【請求項６】
前記カード（Ｋ）は、とりわけ実質的に透明な封筒又はとりわけ実質的に透明な包装紙（Ｈ）に包装されている、請求項１から５のいずれか１項記載のカード（Ｋ）。
【請求項７】
２つ折りのカードとして構成された前記カード（Ｋ）は、前記包装紙（Ｈ）乃至は封筒を開封乃至は破損することなく完全に開くことはできないので、前記カード（Ｋ）の前記コード（Ｃ）は読むことはできない、請求項５記載のカード（Ｋ）。
【請求項８】
実質的に透明な材料（ＤＭ）の前記封筒乃至は包装紙（Ｈ）は少なくとも１つの透明ではない領域（ＤＭＮ）を有しており、該透明ではない領域（ＤＭＮ）には印刷された前記コード（Ｃ）が配置されており、前記カード（Ｋ）に印刷されたコード（Ｃ）は前記封筒乃至は包装紙（Ｈ）を通して読むことはできない、請求項６記載のカード（Ｋ）。
【請求項９】
前記カード（Ｋ）には、とりわけ前記電子ブック乃至は実際の本又はその他利用可能な電子ブックの出版社に関する付加的な情報が印刷されている、請求項１から８のいずれか１項記載のカード（Ｋ）。
【考案の詳細な説明】
【技術分野】
【０００１】
本考案は、紙又はプラスチック又はボール紙でできたカードに関する。
【背景技術】
【０００２】
ウィキペディアの定義によれば、電子ブック又はデジタルブックとは、最も広い意味では、媒体としての本をその媒体特有の特性を保ちつつデジタル形態で利用できるようにした媒体であると理解されたい。
【０００３】
電子ブックには種々のアプローチがあり、ウィキペディアによれば、以下のように分類される。
【０００４】
バーチャルブック：バーチャルブックでは、実際の本の感じ（外観、仮想的にページをめくる等）をできる限り保持したまま実物に忠実にディスプレイ上に模写し、例えばマウスのようなコンピュータ特有の入力手段で操作できるようにすることが試みられる。
【０００５】
デジタルコピー：実際に存在する本は、オリジナル乃至はその印刷版前駆体のできる限り忠実なコピーとしてプリンターインターフェースを介して出力する必要がある。専用の電子ブックリーダー及び電子ブック出力装置もこのコピー指向的なアプローチに属しており、これらによって、既に完成していて市場で入手可能な原本を紙無しで模写することが試みられる（電子ペーパーも参照されたい）。
【０００６】
構造機能的なアプローチ：重点は、コンピュータを援用して本をアレンジすることにあり、乃至は本の内容を本特有の独自性（例えば所定の内容の一致、ページ指向的に構造化された表示、ページの概観、ページめくり機能、しおり等）と共にコンピュータやディスプレイに合わせて提供することにある。ここで本というのは、とりわけ構造、内容及び機能の指針として理解されたい。ここでの本は実際に存在するオリジナルを必ずしも必要としていない。それ故に通常、ここでの本の形態は、それぞれ用いられる電子ブックリーダーに依存し、ディスプレイの特性に最適な表示によって決められ、場合によって実際に存在する「オリジナル」の存在とは全く別物となる。
【０００７】
上述したアプローチの全ては、実際の本が有している、例えば本の装丁の仕方及び質、紙の種類、紙の強度などの、とりわけ所定の製造により生じるそれぞれ異なる触覚に関する特性及び品質並びに利用される印刷技術の特性及び品質を欠いているという点を共有している。これらの特性及び品質は従来のコンピュータテクノロジでは再現できない。しかしながら、純粋に構造機能的なアプローチの支持者は既述の特性及び品質を完全に諦めているが、この支持者は電子ブックを完全に独自の媒体として理解しており、電子ブックの原型はただの素朴なものであるから、この原型の機能性をコンピュータテクノロジによって拡張することが大切であると考えている。
【０００８】
これまでは、電子ブックを販売するために２つのやり方があった。すなわち、１つは電子ブックをインターネットを介してダウンロードするやり方であり、もう１つは例えば書店などの商店の売り場で購入するやり方であった。書店では、電子ブックが通常ＵＳＢスティックであるデータ記憶媒体にロードされる。上述した両方の場合では、電子ブック自体が直ぐに読めるのではなく、ただコンピュータ乃至は購買端末のディスプレイを介して現れ、最終的に電子ブックリーダーを介して読むことができるのである。さらに、ＤＲＭ保護の形態の保護措置によって、購入した電子ブックの利用が制限される。例えば、電子ブックを大抵制限された数の装置にしかコピーすることができないのである。第三者へ渡すことはできない。
【考案の概要】
【考案が解決しようとする課題】
【０００９】
本考案の課題は、電子ブックの読者乃至は購入者に、幾らかでも実際に電子ブックを購入したという「感じ」を伝えることである。
【課題を解決するための手段】
【００１０】
このために、本考案は通常の本より小さな「カード」を目論んでいる。このカードには情報がとりわけコードの形態で並んでいる。有利には、このコードは表紙と共にカードに印刷することができる。カードとは、挿入され且つ組み込まれている付加的なページを有するカードでもあると理解されたい。ここで、カード及び／又は付加的な見開きには、著者、本の内容及び／又は出版社に関する付加的な情報を印刷することができる。
【００１１】
有利には、本考案によるカードは普通の文庫本より小さなフォーマットであり、それ故に例えば簡単に財布に仕舞うことができる。また、このカードはレジの領域にも簡単に配置することができる。
【考案の効果】
【００１２】
本考案によるカードの主な利点は、購入者が幾らかでも実際に電子ブックを手元に持っており、表紙を眺めることができ、更に尚、内容、著者及び出版社に関する付加的な情報を得ることができることである。また、カードは贈り物として簡単に送ることもできる。したがって、本物の本を送る代わりに、本考案によるカードを送ることにより、送られた人間は直ちに送られた電子ブックに対する印象を抱くことができる。
【００１３】
本考案によるカードは、折り畳まれていないカードとして構成されていてもよいし、又は折り畳まれたカード、とりわけ２つ折りのカードとして構成されていてもよい。
【００１４】
カードが２つ折りのカードの場合、カードが外から折り畳まれていれば表紙及びうら面を見ることができる。それに対して、カードの内側の面に配置されているか又は挿入されたページに印刷されているコードは見ること乃至は読むことができない。
【００１５】
既に述べたように、カードは少なくとも１つの挿入された付加的なページを有している、及び／又は、綴じられた複数のページを含んでおり、これらのページはとりわけカードに結び付けられ、乃至は一体となっており、これらのページにはテキストのレジュメ及び／又は電子ブックの挿絵が印刷されている。
【００１６】
うら面には、電子ブックの内容の概要及び／又は著者に関する概要及び／又は出版社の概要を外から読めるように印刷することができる。これによって、潜在的な購入者が購入前に電子ブックに対する印象を抱くことができる。
【００１７】
情報乃至はコードは、おもて面、うら面又は内側の面に配置することができる。コードが包装又は折り畳まれたカードの見える箇所に配置されている場合には、コードを、剥がせるペースト又はステッカーによって覆い隠す必要がある。当然、内側の面に配置されているコードも同様にスクラッチ部分によって覆い隠してもよい。樹脂状のペーストを剥がして初めて、コードを読むことができる。
【００１８】
コードの不所望な閲覧を避けるために、閉じられた包装紙又は封筒によってカードを被覆すると有利である。有利には、包装紙乃至は封筒は少なくとも部分的に透明であり、これによって、表紙及び／又は例えばタイトル、著者又は粗筋のような情報を外から見ることができる。ここで、コードは、２つ折りのカードとして構成されたカードの内側の面に配置してもよいし、包装紙又は封筒の透明ではない領域に配置してもよい。したがって、有利には、包装紙乃至は封筒を開封乃至は破損することなくコードを読むことができない。なぜならば、２つ折りのカードとして構成されたカードを開くことは完全にはできないから、又はコードは包装紙乃至は封筒の透明ではない材料によって覆い隠されているからである。
【００１９】
更に、カードは付加的な情報、とりわけ電子ブック乃至は実際の本又はその他の調達可能な電子ブックの出版社に関する情報を有していてもよい。
【００２０】
上記のコードによって、カードの所有者は、インターネット又は相応する端末を介して電子ブックを電子ブックリーダー又はその他の容認されている記憶媒体にダウンロードし、従って電子ブックを所有することができる。
【００２１】
次に、本考案によるカードを図面に基づいて詳細に説明する。
【図面の簡単な説明】
【００２２】
【図１】包装紙のない、２つ折りのカードとして構成されている本考案によるカードの第１の可能な実施形態を示した図
【図１ａ】ほとんど折り畳まれた状態の図１のカードを示した図
【図２】カードが折り畳まれていない、包装紙を有する本考案によるカードの第２の可能な実施形態を示した図
【考案を実施するための形態】
【００２３】
図１には、包装紙Ｈのない本考案によるカードＫが示されている。カードＫは、２つ折りのカードとして構成されている。カードのおもて面Ｖ上には表紙ＢＣが印刷されている。その内側の面には電子ブックの内容Ｉが短く要約されている。付加的に、カードの内側の面ＫＩは尚、コードＣと、どこで且つ場合によってはどうやって電子ブックをダウンロードすることができるかに関する付加的な情報ＺＩとを含んでいる。
【００２４】
図１ａには、ほとんど折り畳まれた状態のカードＫが示されている。このほとんど折り畳まれた状態のカードＫが図示されていない包装紙Ｈに入れられれば、カードＫはもはや開くことはできず、これによって、コードＣを調べることはもはやできなくなる。
【００２５】
カードＫのうら面には、出版社、著者及び本の内容に関する付加的な情報ＩＶＡを並べることができる。
【００２６】
図２には、カードが折り曲げられていない、包装紙を有する本考案によるカードの第２の可能な実施形態が示されており、したがって、このカードはただ１つずつのおもて面Ｖとうら面Ｒしか有していない。したがって、コードＣはおもて面Ｖかうら面Ｒのどちらかに配置されている。包装紙の全てが透明な材料ＤＭでできている場合、コードＣは、例えば剥がせるペースト又は、カードに直接貼付されるステッカーＡによって覆い隠す必要がある。同じように、包装紙Ｈ乃至は封筒のコードＣの領域ＨＣを不透明にしてもよく、これによって、包装紙Ｈ乃至は封筒に入れられている場合には外からコードＣを調べることはできなくなる。
【符号の説明】
【００２７】
Ａ  ステッカー、  ＢＣ  表紙、  Ｃ  コード、  ＤＭ  透明な材料、  ＤＭＮ  透明ではない領域、  Ｈ  包装紙、  ＨＣ  コードＣの領域、  Ｉ  電子ブックの内容、  ＩＶＡ  付加的な情報、  Ｋ  カード、  ＫＩ  カードの内側の面、  Ｒ  うら面、  Ｖ  おもて面、  ＺＩ  付加的な情報
【図１】
0003173064.tif 000003
【図１ａ】
0003173064.tif 000004
【図２】
0003173064.tif 000005